(57)【要約】【課題】  製袋、及び液状等の内容物の充填が容易で、使用時には注出口部を容器の口部に確実に固定でき、且つ安定した流れで最後まで安全且つ容易に内容物を移し替えられる安価で使用適性に優れた詰め替え用パウチを生産性よく提供する。【解決手段】  周囲がヒートシールにより封止され、液状等の内容物を密封包装できるパウチにおいて、パウチ上部のコーナー部もしくはコーナー部の近傍に上方に向く形状の注出口部６を設けると共に、該注出口部６のパウチ上部中央側に容器の口部に嵌合させるための凹状の切り欠き部７を設けて詰め替え用パウチ80を構成する。又、前記凹状の切り欠き部７をパウチを傾けて容器の口部に嵌合させた時、容器の肩部から胴部の形状に対応する形状の切り欠き部８を更にパウチ上部端縁部に設けることも好ましい。【選択図】        図３
2005187081.tif 000002
【特許請求の範囲】
【請求項１】
周囲の端縁部がヒートシールにより封止され、流動性を有する内容物が密封包装されるパウチにおいて、パウチ上部のコーナー部に上方に向く形状の注出口部がヒートシールパターンにより設けられ、且つ、該注出口部のパウチ上部中央側に、容器の口部に嵌合させるための凹状の切り欠き部が、ミシン目線により形成可能にパウチの上端から該注出口部の開封位置にかけて設けられると共に、該ミシン目線の上側端部のパウチの上端と、下側の端部となる注出口部の開封位置とに、それぞれノッチが設けられていることを特徴とする詰め替え用パウチ。
【請求項２】
前記注出口部のパウチ中央側の横下部から、注出口部を設けた側と反対側のパウチ側部に向けて斜め下方に伸びる直線状の折り目線が、パウチ両面の壁面フィルムに同位置に重なるように設けられていることを特徴とする請求項１記載の詰め替え用パウチ。
【発明の詳細な説明】
【技術分野】
【０００１】
本発明は、液体、粘体、粉体など流動性を有する内容物を密封包装し、使用時に内容物を他の容器に移し替えて使用する詰め替え用パウチに関し、更に詳しくは、内容物の他の容器への移し替えに際して、簡単な操作で一層安全且つ容易に移し替えられるよう注出口部およびその近辺の構成を改善した詰め替え用パウチに関する。
【背景技術】
【０００２】
従来、液状などの流動性を有する内容物を密封包装する詰め替え用パウチとしては、自立性があり立体容器としての特徴も一部備えているスタンディングパウチが主に採用され、且つ、開封時に内容物を外にこぼすことなく他の容器に安全に移し替えられるよう、開口部をパウチ上部全体ではなく、コーナー部など一部に設けるとか、或いは、パウチ上部の一部に口径の小さな注出口部を形成する方法、更には、プラスチック成形物などによる別体の注出口をパウチ上部の一部に熱接着して取り付ける方法などが採られていた。
【発明の開示】
【発明が解決しようとする課題】
【０００３】
しかしながら、プラスチック成形物による別体の注出口をパウチ上部の一部に取り付ける方法は、製造工程が増え、注出口自体にも費用がかかり、また、注出口を取り付けた空パウチは、厚さが増すため、保管や運搬の費用も割高となり、更に、内容物の充填に際して、例えば充填機のフィーダー部への空パウチのスタッキング数も大幅に減少し、オペレーターが頻繁に空パウチの供給を行う必要が生じるなど、全体としてコストアップと工程及び作業の煩雑さが増す問題があった。
【０００４】
また、パウチ上部の一部に口径の小さな注出口を形成する方法でも、内容物を移し替える際の操作性、安全性は、ある程度は改善できるが、内容物の注出中に流れが安定せず、特に残量が少なくなった場合、パウチの注出口が塞がりやすくなり、また、移し替える容器の口部への注出口の固定も不安定となり、その結果、誤って内容物を外にこぼすことがあり、移し替えの容易性、安全性の点でなお問題があった。
【０００５】
本発明は、このような問題点を解消するためになされたものであり、その目的とするところは、成形物などによる別体の注出口を必要とせず、通常のパウチと同様な工程で生産性よく製造でき、内容物の充填も容易で、しかも使用時には、パウチ上部のコーナー部もしくはコーナー部の近傍に設けられた注出口部の先端部を切り取って開口させることにより、口径の小さなボトルなどに対しても、安全且つ容易に最後まで移し替えることができるという、安価で使用適性に優れた詰め替え用パウチを生産性よく提供することにある。
【課題を解決するための手段】
【０００６】
上記の課題は、以下の本発明により解決することができる。
即ち、請求項１に記載した発明は、周囲の端縁部がヒートシールにより封止され、流動性を有する内容物が密封包装されるパウチにおいて、パウチ上部のコーナー部もしくはコーナー部の近傍に、上方に向く形状の注出口部が設けられ、且つ、該注出口部のパウチ上部中央側に、容器の口部に嵌合させるための凹状の切り欠き部が設けられていることを特徴とする詰め替え用パウチからなる。
【０００７】
このような構成を採ることにより、内容物が充填密封された詰め替え用パウチを使用する際、注出口部の先端のヒートシール部を切り取って注出口を開口させ、次いで、パウチを横に傾けて、注出口部のパウチ上部中央側に設けられている凹状の切り欠き部を移し替えを行う容器の口部に嵌合させることにより、注出口が容器の口部に確実に固定される。この時、パウチは、通常の場合とは逆に注出口が上になり、パウチの本体部分がそれよりも下になる位置取りとなる。従って、その後はパウチを徐々に反転させながら内容物を安全に注出することができる。
【０００８】
このようにして注出を行うことにより、注出開始時に勢いよく内容物が流出することもなく、また、注出口の上部に空間ができ、内容物の注出量に応じて空気がパウチ内に流入するので、内部が減圧して注出口が塞がることもなく、更に、内容物の流出状態を見ながら注出できるので、流れを調節しやすく安心感があり、最後まで安定した流れで内容物を外にこぼすことなく安全に移し替えることがでる。
【０００９】
請求項２に記載した発明は、周囲の端縁部がヒートシールにより封止され、流動性を有する内容物が密封包装されるパウチにおいて、パウチ上部のコーナー部に、上方に突出する形状の注出口部が設けられ、且つ、該注出口部のパウチ上部中央側に、容器の口部に嵌合させるための凹状の切り欠き部が設けられると共に、注出口部が設けられている側のパウチ側部をヒートシールする胴部ヒートシール部が、その上部近傍に、注出口の開口を安定化させるための内側に膨らむ膨らみ部を有する形状にヒートシールされていることを特徴とする詰め替え用パウチからなる。
尚、前記膨らみ部の形状は、特に限定するものではないが例えば内側に弓状などに膨らむ形状が好ましい。
【００１０】
このような構成を採ることにより、前記請求項１に記載した発明と同様な作用、効果が得られると同時に、注出口部の先端のヒートシール部を切り取って開封し、内容物の移し替えを行う際、このパウチの本来の使用法である注出口部を上にして、パウチの本体部分がそれよりも下になる位置取りでの注出はもとより、通常のパウチと同様、注出口部を下にする位置取りで注出を行った場合でも、安定した形状の開口部が形成され、その保形性もよくなるため、途中で開口部が塞がることもなく、最後まで安全に内容物を移し替えることができる。
【００１１】
請求項３に記載した発明は、前記胴部ヒートシール部の上部近傍に設けられた膨らみ部が、その他の胴部ヒートシール部と略同一幅となるように、膨らみ部の外側に膨らみ部に対応する形状の切り欠き部が設けられていることを特徴とする請求項２に記載の詰め替え用パウチからなる。
【００１２】
このような構成を採ることにより、前記請求項２に記載した発明の作用、効果に加えて、注出口部の先端のヒートシール部を切り取って開封し、内容物の移し替えを行う際、開口に対する余分な抵抗力が除かれ、安定した形状の開口部が一層スムーズに形成され、その保形性もよくなるため、途中で開口部が塞がることもなく、最後まで安全に内容物を移し替えることができる。
【００１３】
請求項４に記載した発明は、前記凹状の切り欠き部を容器の口部に嵌合させた時、容器の肩部から胴部の形状に対応する形状の切り欠き部が、更にパウチ上部の端縁部に設けられていることを特徴とする請求項１乃至３のいずれかに記載の詰め替え用パウチからなる。
【００１４】
このような構成をとることにより、前記請求項１乃至３のいずれかに記載した発明の作用、効果に加えて、前記凹状の切り欠き部をパウチを横に傾けて容器の口部に嵌合させた時、パウチの上部端縁部には、容器の肩部から胴部の形状に対応する形状の切り欠き部が設けられているので、パウチの上部が容器の肩部、胴部にぶつかって邪魔されることもなく、注出口の立ち上がり部の凹状の切り欠き部を容器の口部にピッタリと嵌合でき、注出口の容器口部への固定も一層安定した状態で行え、移し替えの操作が一層容易になる。
【００１５】
また、請求項５に記載した発明は、前記注出口部に易開封処理部が設けられていることを特徴とする請求項１乃至４のいずれかに記載の詰め替え用パウチからなる。
【００１６】
このような構成を採ることにより、前記請求項１乃至４のいずれかに記載した発明の作用、効果に加えて、注出口を開口する際、鋏などの道具を使うことなく手だけで、所望の位置で容易に注出口部の先端部を切り取って注出口を開口させることができる。
【００１７】
前記注出口部に設ける易開封処理部は、通常のパウチでも多用されるノッチのほか、レーザー光照射などによるハーフカット線、或いは、機械的手段で設けられる端縁部の端縁線と略直角方向に向く細長くて小さな傷痕の群（例えば、特開昭６１−１４２１５９に開示される）など、いずれも適用できる。
尚、前記ノッチは、通常Ｉ字型やＶ字型のノッチが利用されているが、形状は特に限定されず、切り取り方向に鋭角部分を有する形状であれば何でも使用できる。
【００１８】
請求項６に記載した発明は、前記注出口部のパウチ中央側の横下部から、注出口部を設けた側と反対側のパウチ側面に向けて斜め下方に伸びる直線状の折り目線が、パウチ両面の壁面フィルムの同位置に重なるように設けられていることを特徴とする請求項１乃至５のいずれかに記載の詰め替え用パウチからなる。
このような折り目線は、例えば雄型と雌型とを用いる熱エンボス方式などにより容易に設けることができ、製袋機でパウチ両面の壁面フィルムが重ね合わされる前の位置に、その装置を組み込むことにより製袋とインラインで設けることができる。
【００１９】
このような構成を採ることにより、パウチに充填された内容物を他の容器に移し替える際、前記折り目線を折り曲げ、この部分でパウチを下から手で支えながら注出することができるので、手触りがソフトになり、支え易く、一層容易に内容物を移し替えることができる。
【００２０】
請求項７に記載した発明は、前記直線状の折り目線が、その上側延長線が注出口の開口部を通るように設けられていることを特徴とする請求項６に記載の詰め替え用パウチである。
【００２１】
このような構成を採ることにより、前記請求項６に記載した発明の作用効果に加えて、パウチ内の内容物を他の容器に移し替える際、直線状の折り目線を折り曲げ、この部分を下から手で支えて注出を行うことにより、注出口部の両面のフィルムを互いに外側に湾曲させた状態、即ち、注出口を筒状に開口させた状態に一層確実に保持できるので、開口部の保形性が更に向上し、注出の途中で注出口が塞がることがなく、一層容易に内容物を最後まで安全に移し替えることができる。
【００２２】
そして、請求項８に記載した発明は、前記直線状の折り目線で区画されるパウチ上部コーナー部の領域に、前記直線状の折り目線を最下段として、その上に、これと平行する形状、または、その上端近傍から裾広がりの放射状に、複数本の折り目線が設けられていることを特徴とする請求項６または７に記載の詰め替え用パウチからなる。
【００２３】
このような構成を採ることにより、前記請求項６、７に記載した発明の作用、効果に加えて、パウチ内の内容物を他の容器に移し替える際、折り目線でパウチの上部コーナー部をどの位置でも容易に折り曲げることができ、また、折り目線が滑り止めの作用も有し、更に、内容物の量に応じて適宜折り目線の折り位置を変えながら注出することができるので、特に注出の初期で内容物の量の多い時に、深い折り位置を採りすぎて、余分な内圧が掛かることもなくなり、一層安全且つ容易に内容物を移し替えることができるようになる。
【００２４】
尚、本発明において、パウチ本体の形態は、特に限定はされず、例えば三方シール形式、四方シール形式、ピロー形式などの平パウチのほか、スタンディングパウチなど、いずれの形態も使用することができる。
【００２５】
また、本発明の詰め替え用パウチにおいて、内容物の充填は、通常のパウチと同様に、上部ヒートシール部を内容物の充填前は未シールの開口部とし、この部分から内容物を充填し、その後ヒートシールして密封することができる。また、例えばパウチ上部のコーナー部の注出口部近辺を先にヒートシールしておいて、残りの上部ヒートシール部を未シールの開口部とし、この部分から内容物を充填し、その後この開口部をヒートシールして密封してもよい。
【発明の効果】
【００２６】
以上詳しく説明したように、本発明によれば、製袋、および内容物の充填が容易に行え、且つ、使用時には、注出口部を容易に開口でき、ボトルなど他の容器への内容物の移し替えも、注出口のパウチ上部中央側に設けられた凹状の切り欠き部を、パウチを横に傾けて容器の口部に嵌合させることにより、注出口が確実に容器の口部に固定され、しかもこの時、注出口を上にして、内容物が充填されているパウチ本体部分が下になる形態で、徐々にパウチ本体部分を振り子状に持ち上げながら注出を行うことができるため、パウチ内部が減圧して注出口が途中で塞がることもなく、最後まで安定した流れで安全且つ容易に移し替えることのできる詰め替え用パウチを生産性よく、安価に提供できる効果を奏する。
【発明を実施するための最良の形態】
【００２７】
以下に本発明の詰め替え用パウチの製造に用いるフィルム、およびその製袋方法など実施の形態について説明する。
先ず、本発明の詰め替え用パウチの製造に用いるフィルムは、主にプラスチックを主体とする積層フィルムが用いられるが、特に限定はされず、各種パウチに用いられている公知の積層フィルムは、いずれも使用できる。これらの中から、包装する内容物の種類や充填後の加熱処理の有無など使用条件に応じて適するものを自由に選択して使用することができる。
好ましく使用できる積層フィルムの構成の具体例として、以下のようなものが挙げられる。
【００２８】
(1) ＯＮフィルム／接着剤／Ｌ・ＬＤＰＥフィルム（シーラント層）
(2) ＯＮフィルム／接着剤／一軸延伸ＨＤＰＥフィルム／接着剤／Ｌ・ＬＤＰＥフィルム（シーラント層）
(3) ＯＮフィルム／接着剤／一軸延伸ＰＰフィルム／接着剤／Ｌ・ＬＤＰＥフィルム（シーラント層）
(4) ＯＮフィルム／接着剤／一軸延伸ＰＰフィルム／接着剤／アルミニウム箔／接着剤／Ｌ・ＬＤＰＥフィルム（シーラント層）
(5) ＯＮフィルム（シリカ蒸着層）／接着剤／一軸延伸ＨＤＰＥフィルム／接着剤／Ｌ・ＬＤＰＥフィルム（シーラント層）
(6) ＯＮフィルム／アンカーコート層／共押し出しコート層（ＨＤＰＥ層／Ｌ・ＬＤＰＥ層）（シーラント層はＬ・ＬＤＰＥ層）
(7) ＯＮフィルム／アンカーコート層／共押し出しコート層（ＨＤＰＥ層／ＬＤＰＥ層）／接着剤／Ｌ・ＬＤＰＥフィルム（シーラント層）
(8) ＰＥＴフィルム／接着剤／アルミニウム箔／接着剤／ＯＮフィルム／接着剤／Ｌ・ＬＤＰＥフィルム（シーラント層）
(9) ＰＥＴフィルム／接着剤／アルミニウム箔／接着剤／ＯＮフィルム／接着剤／ＣＰＰフィルム（シーラント層）
(10)ＰＥＴフィルム／接着剤／ＯＮフィルム／接着剤／アルミニウム箔／接着剤／Ｌ・ＬＤＰＥフィルム（シーラント層）
(11)ＰＥＴフィルム／接着剤／ＯＮフィルム／接着剤／アルミニウム箔／接着剤／ＣＰＰフィルム（シーラント層）
(12)ＰＥＴフィルム／接着剤／ＥＶＯＨフィルム／接着剤／ＯＮフィルム／接着剤／ＣＰＰフィルム（シーラント層）
などが挙げられるが、これらに限定されるものではなく様々な組み合わせの積層フィルムを使用することができる。
【００２９】
尚、上記において、ＯＮフィルムは２軸延伸ナイロンフィルム、Ｌ・ＬＤＰＥは直鎖状低密度ポリエチレン、ＨＤＰＥは高密度ポリエチレン、ＬＤＰＥは低密度ポリエチレン、ＰＰフィルムはポリプロピレンフィルム、ＰＥＴフィルムは２軸延伸ポリエチレンテレフタレートフィルム、ＥＶＯＨフィルムはエチレン−酢酸ビニル共重合体ケン化物フィルム、ＣＰＰフィルムは無延伸ポリプロピレンフィルムを指すものである。
また、アンカーコートは、押し出しコーティングで樹脂を積層する際、接着性を向上させるために基材フィルム側に予めコーティングするものでプライマーコートの一種である。
【００３０】
前記の積層フィルムの構成において、ＯＮフィルム、ＰＥＴフィルムは、基材フィルムとしてパウチに機械的強度や印刷適性を付与し、一軸延伸ＨＤＰＥフィルム、一軸延伸ＰＰフィルムは、その延伸方向をパウチを開口させる際の引き裂き方向と一致するように用いることにより、引き裂きの方向性を一層安定化させることができる。
そして、アルミニウム箔、シリカ蒸着層、ＥＶＯＨフィルムなどは、ガスバリヤー性を付与するために積層するものである。
また、シーラント層としては、Ｌ・ＬＤＰＥフィルムとＣＰＰフィルムの２種類の例を挙げたが、Ｌ・ＬＤＰＥフィルムは、ヒートシールの安定性や耐内容物性、例えば界面活性剤に対する耐ストレスクラッキング性などに優れ、ＣＰＰフィルムは、耐熱性、低臭性に優れており、これらの性能を必要とする内容物の包装用に適している。
【００３１】
シーラント層には上記のほか、充填される内容物に応じて、エチレン・αオレフィン共重合体、エチレン・酢酸ビニル共重合体、エチレン・アクリル酸共重合体、エチレン・アクリル酸エステル共重合体、アイオノマー、ポリエステル系樹脂なども適宜選択して使用することができる。
特に、エチレン・αオレフィン共重合体でメタロセン系触媒を用いて重合したものは、分子量分布の幅が狭く、共重合比も安定しているため、低温ヒートシール性や、熱間シール性に優れており、ガセットパウチ、スタンディングパウチなどヒートシール部にフィルムの重なりの差による段差のあるパウチのシーラント層にはシール抜けによるピンホールの発生を防止できる点で適している。
更に、該共重合体にオレフィン系エラストマーをブレンドしたものを用いることにより、シーラント層の熱流動性が改善され、前記段差によるピンホールの発生も一層効果的に防止することができる。
【００３２】
次に、以上のような積層フィルムを用いて製造する本発明の詰め替え用パウチの製造方法について説明する。
本発明の詰め替え用パウチは、先にも説明したように、主に、パウチ上部の形状にその特徴を有するものであり、パウチ本体の形態は、特に限定されず、例えば三方シール形式、四方シール形式、ピロー形式などの平パウチのほかスタンディングパウチなど、いずれの形態も採ることができる。
【００３３】
従って、本発明の詰め替え用パウチの製袋には、その本体部分の形態に応じて、それぞれ従来公知の製袋機を利用することができ、これに前記注出口部および凹状の切り欠き部、そして、前記容器の肩部から胴部の形状に対応する形状などの切り欠き部、ノッチその他の易開封処理部、折り目線などを設けるためのヒートシール装置、トリミング装置、エンボス装置、その他の加工装置を組み込むか、或いはこれらの一部を別ラインで準備することにより、インラインまたはオフラインのいずれの方法によっても本発明の詰め替え用パウチを容易に製造することができる。
【実施例】
【００３４】
以下に、図面および試験例により本発明を更に具体的に説明する。
但し、本発明はこれらの図面および試験例に限定されるものではない。また、図面に付した符号は、異なる図面においても同じ名称の部分には同じ符号を用いた。
【００３５】
図１〜図１５は、それぞれ本発明の詰め替え用パウチの一実施例の構成を説明する正面図である。各図において、パウチ上部の上部ヒートシール部５は、内容物充填後にヒートシールするものであるが、構成を分かりやすくするため予めその形状を図示した。
図１において、詰め替え用パウチ６０は、その本体部分がスタンディングパウチ形態に製袋されている。即ち、底部１が常法に従ってフィルムを内側に折り返してなるガセット形式で形成され、内側に折り込まれたフィルムの両側下端近傍には、符号は付していないが、半円状の切り欠き部が設けられると共に、底部１が舟形のシールパターンにより底部ヒートシール部２でヒートシールされ、また、パウチの胴部は、前後２面の壁面フィルムの両側端縁部を胴部ヒートシール部３でヒートシールして形成される。
【００３６】
そして、パウチの上部のコーナー部（図では右側のコーナー部）には、注出口部６が延設されると共に、その内部がパウチ本体の内部と連通するように、その上側周囲の端縁部が注出口部ヒートシール部４と胴部ヒートシール部３の上部により封止されている。
また、注出口部６のパウチ上部中央側には、容器の口部に嵌合させるための凹状の切り欠き部７が設けられ、その上の注出口部６の端縁部（ヒートシール部）には、易開封処理部としてＶ字型のノッチ９が設けられて構成されている。
【００３７】
このような形態の詰め替え用パウチ６０は、内容物の充填前は、例えば上部ヒートシール部５が未シールで開口しており、この部分から液状などの内容物を充填シール機で充填し、その後、脱気シールなどにより上部ヒートシール部５をヒートシールして密封包装することができる。
【００３８】
尚、上部ヒートシール部５の形状は、通常の一定幅の直線状パターンでもよいが、図に示すような傾斜を有するパターンでヒートシールすることにより、内容物を移し替える際、より容易に残液がないように移し替えることができる。
また、このような詰め替え用パウチ６０は、内容物充填後、自立性があり、外観に優れると共に、取り扱いも容易であり、内容物をボトルなど他の容器に移し替える際には、ノッチ９を利用して注出口部６を開口させ、パウチを横に傾けて凹状の切り欠き部７を容器の口部に嵌合させることにより、注出口が固定され、図１３に示すように、パウチの注出口を上にして、本体部分が下になるようにして移し替えを行うことができるため、傾けた注出口の上部に空間をもたせながら注ぎ出すことができ、パウチ内部が減圧して注出口が塞がるようなこともなく、最後まで安定した流れで安全且つ容易に移し替えることができる。
【００３９】
図２に示した詰め替え用パウチ７０は、前記図１に示した詰め替え用パウチ６０とは、パウチの上部の構成は全く同一であり、パウチの本体部分を四方シール形態で製袋した点でのみ異なるものである。従って、内容物充填後のパウチに自立性はなく、その取り扱い易さ、外観などの点ではやや劣るが、製袋が容易で生産性がよく、コスト面で安価である利点があり、内容物の移し替えの際の操作性や作用、効果などは略同様であるため、廉価タイプの詰め替え用パウチとして優れている。
【００４０】
図３に示した詰め替え用パウチ８０は、図１に示した詰め替え用パウチ６０の構成において、凹状の切り欠き部７をパウチを横に傾けて容器の口部に嵌合させた時、容器の肩部から胴部の形状に対応する形状の切り欠き部８を更にパウチ上部の端縁部に設けて構成したものである。
【００４１】
このような構成を採ることにより、前記図１に示した構成の詰め替え用パウチ６０で説明した特徴、および作用、効果に加えて、前記凹状の切り欠き部７を容器の口部に嵌合させた時、図１４に示すように、パウチの上部が容器の肩部や胴部にぶつかって邪魔になることがなく、容易にピッタリと嵌合でき、注出口の容器口部への固定もより安定した状態で行え、内容物の移し替えを一層安全且つ容易に行えるようになる。
【００４２】
図４に示した詰め替え用パウチ９０は、前記図３に示した詰め替え用パウチ８０とは、パウチの上部の構成は全く同一であり、パウチの本体部分をスタンディングパウチから四方シール形態に変えて製袋した点でのみ異なるものである。
従って、この場合も、内容物充填後のパウチに自立性はなく、その取り扱い易さ、外観などの点ではやや劣るが、製袋が容易で生産性がよく、コスト面で安価である利点があり、内容物の移し替えの際の操作性や作用、効果などは図３に示した詰め替え用パウチ８０と同様であるため、その廉価タイプの詰め替え用パウチとして有用である。
【００４３】
図５に示した詰め替え用パウチ１００は、図１に示した詰め替え用パウチ６０と同様に、パウチ本体はスタンディングパウチ形式で形成するが、上部ヒートシール部５の形状を図に示すように変え、注出口部６をパウチ上部のコーナー部にその上部がパウチ上端のラインから突出しないように設けると共に、該注出口部６のパウチ上部中央側の位置に、容器の口部に嵌合させるための凹状の切り欠き部７を図に示すような形状に設けることにより、注出口部６の先端のヒートシール部を切り取って開封する際に利用する摘み片１２およびノッチ形状の鋭角部分が形成されるようにし、更に、パウチ両面の壁面フィルムには、注出口部６のパウチ中央側の横下部から、注出口部６を設けた側と反対側のパウチ側面に向けて斜め下方に伸びる直線状の折り目線１１を壁面フィルムの同位置に重なるように設けて構成したものである。
【００４４】
このような構成を採ることにより、内容物が充填された詰め替え用パウチ１００は自立性を有すると共に、注出口部６がパウチ上部から突出していないため、搬送、陳列などの際、取扱いが容易であり、使用時には、摘み片１２およびノッチ形状の鋭角部分を利用して容易に注出口部６を開封でき、更に、凹状の切り欠き部７の底部をボトルなど容器の口部に嵌合させることにより、注出口部が容器の口部に固定され、また、折り目線１１を折り曲げることにより、パウチを手で支え易くなり、安全且つ容易に内容物を移し替えることができるものである。
【００４５】
図６に示した詰め替え用パウチ１１０は、前記図５に示した詰め替え用パウチ１００とは、その底部１、胴部ヒートシール部、上部ヒートシール部、注出口部６、そして、折り目線１１の構成は同一であり、注出口部６のパウチ上部中央側に設けた凹状の切り欠き部のみを、図に示すようにミシン目線１０とその両端のノッチ９、９′に変えて構成したものである。
【００４６】
このような構成を採ることにより、凹状の切り欠き部が予め切り欠かれていないため、内容物の充填の際、パウチ上部全体を開口部として容易に充填、シールすることができる利点があり、更に、内容物をボトルなどに移し替える際には、ノッチ９を起点としてミシン目線１０を切り離すことにより、容易に前記図５に示した詰め替え用パウチ１００と同様な凹状の切り欠き部と、摘み片１２とが形成され、次いで、摘み片１２を摘んでＩ字型のノッチ９′を利用して横方向に引き裂くことにより、容易に注出口部６の先端部を切り取って開封することができる。従って、その後は前記図５に示した詰め替え用パウチ１００と同様に、安全且つ容易に内容物を移し替えることができるものである。
【００４７】
図７に示した詰め替え用パウチ１２０は、図３に示した詰め替え用パウチ８０の構成を一部変更して構成したものである。
変更箇所は、注出口部６の位置をパウチ上部のコーナー部から若干中央部寄りに移動させ、且つ、凹状の切り欠き部７の上、即ち、注出口部６のパウチ中央側の上部側面のヒートシール部の幅を拡げて摘み片１２を設け、注出口部６の開封を容易にすると共に、図において注出口部６の右側の上部ヒートシール部５を上方に盛り上げて膨らみ部（符号は付けていない）を設け、内容物の移し替えを行う際、この部分を摘めるようにして移し替えの操作を一層容易にできるようにしたものである。
【００４８】
従って、上記図７に示した詰め替え用パウチ１２０の構成を採ることにより、前記図３で説明したパウチの作用、効果に加えて、注出口部６の開封が一層容易に行え、また、内容物の移し替えの操作も一層容易に行える効果を奏するものである。
【００４９】
図８に示した詰め替え用パウチ１３０も、前記図７に示した詰め替え用パウチ１２０と同様、図３に示した詰め替え用パウチ８０の構成を一部変更して構成したものである。
この場合、変更箇所は、注出口部６の位置をパウチ上部のコーナー部から若干中央部寄りに移動させると共に、注出口部６の両側の上部側面のヒートシール部の幅を拡げて、両側に摘み片１２を設けた点である。
【００５０】
このような摘み片１２を設けることにより、左右のどちらからでも摘み片１２を摘んで横方向に引っ張ることにより、摘み片１２の下の切り欠き部の鋭角部分がノッチの役割を果たし、一層容易に注出口部６を開封できるようなる。
また、このような摘み片１２を両側に設けることにより、注出口部６の上部の形状が、ボトルのキャップと同様な形状となるため、一見して注出口部６の位置を判別できる効果を奏する。
従って、図８に示した詰め替え用パウチ１３０のような構成を採ることにより、前記図３で説明したパウチの作用、効果に加えて、上記の作用、効果が得られるようになる。
【００５１】
図９は、請求項２に記載した発明の詰め替え用パウチの一実施例の構成を示す正面図であり、詰め替え用パウチ１４０は、パウチ本体がスタンディングパウチ形式に形成され、パウチ上部のコーナー部（図において右側のコーナー部）に注出口６がやや突出するように延設され、その周囲が上部ヒートシール部５の一部と、右側の胴部ヒートシール部３の上部とで封止されている。そして、注出口部６のパウチ上部中央側には、容器の口部に嵌合させるための凹状の切り欠き部７を図に示す形状に設けることにより、注出口部６の先端のヒートシール部を切り取って開封する際に利用する摘み片１２、およびその下にノッチ状の鋭角部分が形成されるようにしたものである。
また、注出口部６側の胴部ヒートシール部３の上部近傍に、図のように内側に弓状に膨らむ膨らみ部１３を設けて、注出口部６が逆漏斗形に開口するように構成されている。
【００５２】
このような構成を採ることにより、パウチに自立性があり、内容物が充填密封されたパウチの使用に際して、摘み片１２とその下の切り欠き部７で形成されるノッチ状の鋭角部分により、容易に注出口部６を開封することができる。
開封された注出口部６は、両側が切り欠き部７の下の上部ヒートシール部５と胴部ヒートシール部３の膨らみ部１３とにより、パウチの内部に向かって逆漏斗形になっているため、内容物の注出時、開口し易く、その保形性もよい。
従って、このパウチの本来の使用法である凹状の切り欠き部７を容器の口部に嵌合させ、注出口部６を上にしてパウチの本体部分がそれよりも下になる位置取りでの注出はもとより、通常のパウチと同様、注出口部６を下にする位置取りで注出を行った場合でも、開口が安定化されているため、途中で開口部が塞がるようなことがなく、最後まで安全に内容物を容器に移し替えることができる。
また、注出口部６がパウチの上方に突出するように設けられているため、長さの調節が容易で、パウチに対する内容物の充填容量を増すことができ、パウチを有効に使用できると同時に、注出の操作も容易に行える効果がある。
【００５３】
図１０に示した詰め替え用パウチ１５０は、前記図９に示した詰め替え用パウチ１４０の構成において、パウチ両面の壁面フィルムに、注出口部６のパウチ中央側の横下部から、注出口部６を設けた側の反対側のパウチ側面に向けて斜め下方に伸びる直線状の折り目線１１を壁面フィルムの同位置に重なるように追加して設けた構成である。
このような構成を採ることにより、前記図９に示した詰め替え用パウチ１４０で説明した作用、効果に加えて、内容物を他の容器に移し替える際、折り目線１１を折り曲げて、この部分でパウチを下から手で支えて注出することができるので、手触りがソフトになり、支え易く、一層容易に内容物を移し替えることができる。
【００５４】
図１１に示した詰め替え用パウチ１６０は、前記図９に示した詰め替え用パウチ１４０に対して、注出口部６が設けられている側の胴部ヒートシール部３の膨らみ部１３が、その他の胴部ヒートシール部と略同一幅となるように、膨らみ部１３の外側に膨らみ部１３に対応する形状の切り欠き部１４を追加して設けた構成である。
【００５５】
このような構成を採ることにより、前記図９に示した詰め替え用パウチ１４０で説明した作用、効果に加えて、内容物を他の容器に移し替える際、注出口の開口に対する余分な抵抗力が除かれるため、安定した形状の開口部が一層スムーズに形成され、その保形性もよくなる。
従って、注出の途中で開口部が塞がることもなく、最後まで安全且つ容易に内容物を移し替えることができる。
【００５６】
図１２に示した詰め替え用パウチ１７０は、前記図１１に示した詰め替え用パウチ１６０に対して、パウチ両面の壁面フィルムに、注出口部６のパウチ中央側の横下部から、注出口部６を設けた側と反対側のパウチ側面に向けて斜め下方に伸びる直線状の折り目線１１を壁面フィルムの同位置に重なるように追加して設けた構成である。
【００５７】
このような構成をとることにより、前記図１１に示した詰め替え用パウチ１６０で説明した作用、効果に加えて、内容物を他の容器に移し替える際、折り目線１１を折り曲げて、この部分でパウチを下から手で支えながら注出することができるので、手触りがソフトになり、支え易く、一層安全且つ容易に内容物を移し替えることができる。
【００５８】
図１３に示した詰め替え用パウチ１８０は、請求項７に記載した発明の一実施例に相当する構成であり、前記図１２に示した詰め替え用パウチ１７０の構成において、注出口部６のパウチ中央側の横下部から注出口部６と反対側のパウチ側面に向けて、パウチ両面の壁面フィルムに設けた斜め下方に伸びる直線状の折り目線１１を、その上側延長線が注出口の開口部を通るように設けたものである。        
【００５９】
このような構成をとることにより、前記図１２に示した詰め替え用パウチ１７０で説明した作用、効果に加えて、パウチ内の内容物を他の容器に移し替える際、直線状の折り目線を折り曲げ、この部分を下から手で支えて注出を行うことにより、注出口部の両面のフィルムを互いに外側に湾曲させた状態、即ち、注出口を筒状に開口させた状態に保持できるので、開口部の保形性が向上し、注出の途中で注出口が塞がることがなく、一層容易に内容物を最後まで安全に移し替えることができる。
【００６０】
図１４に示した詰め替え用パウチ１９０は、請求項８に記載した発明の一実施例に相当する構成であり、前記図１３に示した詰め替え用パウチ１８０の構成において、直線状の折り目線１１で区画されるパウチ上部コーナー部の領域に、前記折り目線１１を最下段として、その上に、これと平行するように複数本の折り目線１１を設けて構成したものである。
【００６１】
このような構成をとることにより、前記図１３に示した詰め替え用パウチ１８０で説明した作用、効果に加えて、パウチ内の内容物を他の容器に移し替える際、複数本の折り目線１１でパウチの上部コーナー部をどの位置でも容易に折り曲げることができ、また、これが滑り止めにもなり、更に、内容物の量に応じて適宜折り目線１１の折り位置を変えながら注出することができるので、特に注出の初期など内容物の量の多い時に、深い折り位置を採りすぎて、余分な内圧が掛かることもなくなり、一層安全且つ容易に内容物を移し替えることができるようになる。
【００６２】
図１５に示した詰め替え用パウチ２００も、請求項８に記載した発明の一実施例に相当する構成であり、前記図１３に示した詰め替え用パウチ１８０の構成において、直線状の折り目線１１で区画されるパウチ上部コーナー部の領域に、前記折り目線１１を最下段として、その上に、その上端近傍から裾広がりの放射状に複数本の折り目線１１を設けて構成したものである。
【００６３】
このような構成をとることにより、前記図１３に示した詰め替え用パウチ１８０で説明した作用、効果に加えて、この場合も、パウチ内の内容物を他の容器に移し替える際、複数本の折り目線１１でパウチの上部コーナー部をどの位置でも容易に折り曲げることができ、また、これが滑り止めにもなり、更に、内容物の量に応じて適宜折り目線１１の折り位置を変えながら注出することができるので、一層安全且つ容易に内容物を移し替えることができるようになる。
【００６４】
図１６は、図１または図２に示した詰め替え用パウチ６０、７０に充填された内容物を容器（ボトル）に移し替える際の状態を示す要部の説明図である。
図１６に示されるように、容器（ボトル）５０の口部５１に、パウチの注出口部の中央側に設けられた凹状の切り欠き部を嵌合させることにより、開口した注出口４０が容器の口部５１に固定され、パウチの注出口４０を上にして、本体部分が下になるようにして内容物の移し替えを行えるので、注出口４０の上部には空間があり、注出量に応じてこの部分から空気がパウチ内に入るため、内部が減圧にならず、途中で注出口が塞がることもなく安定した流れで最後まで安全且つ容易に内容物を移し替えることができる。
【００６５】
また、図１７は、図３または図４に示した詰め替え用パウチ８０、９０に充填された内容物を容器（ボトル）に移し替える際の状態を示す要部の説明図である。
図１７において、詰め替え用パウチ８０、９０は、前記図３または図４に示したように、パウチ上部のコーナー部に注出口部６が設けられると共に、該注出口部６のパウチ上部中央側に、容器の口部５１に嵌合させるための凹状の切り欠き部７が設けられ、更に、この凹状の切り欠き部７をパウチを横に傾けて、容器の口部５１に嵌合させた時、容器の肩部から胴部の形状に対応する形状の切り欠き部８が、パウチ上部の端縁部に設けられて構成されている。
【００６６】
従って、図１７に示すように、詰め替え用パウチ８０、９０の注出口部６を開封して注出口４０を開口させ、パウチを横に傾けて前記凹状の切り欠き部７を容器の口部５１に嵌合させた時、パウチの上部が容器５０の肩部や胴部にぶつかって邪魔されることなくピッタリと嵌合でき、注出口４０の容器口部５１への固定も一層安定した状態で行え、内容物の移し替え操作が一層容易になり、注出口が途中で塞がることもなく安定した流れで最後まで安全且つ容易に移し替えることができる。
【００６７】
〔試験例１〕
図１に示した構成の詰め替え用パウチを作製することとし、厚さ１５μｍの２軸延伸ナイロンフィルム（ＯＮ）と厚さ１００μｍの直鎖状低密度ポリエチレンフィルム（Ｌ・ＬＤＰＥ）とを常法に従ってドライラミネート方式で貼り合わせて積層フィルムを作製し、これを壁面フィルムと底面フィルムとに共通に用いて、パウチの各部の寸法を下記のように設定して試験例１の詰め替え用パウチを作製した。
【００６８】
パウチの本体部分の外形寸法は、幅１５０ｍｍ、長さ２３０ｍｍとし、底部１は、折り込み部の高さを４０ｍｍとし、舟形のシールパターンで底部ヒートシール部２をヒートシールしてスタンディングパウチ形式の底部１を形成すると共に、左右両側の胴部ヒートシール部３は、シール幅５ｍｍでヒートシールした。
また、注出口部６は、幅３３ｍｍ、高さ１５ｍｍでパウチ本体の上辺右側端部に延設されるようにし、周囲のヒートシール部は、上部と右側部が幅５ｍｍ、左側部は幅７ｍｍとし、更に左側下部（パウチ本体上部にあたる位置）では、幅１２ｍｍ迄広げてヒートシールした。この時、パウチ上部に残る開口部（上部ヒートシール部５）の幅は、１０７ｍｍである。
【００６９】
また、注出口部６のパウチ上部中央側に設ける凹状の切り欠き部７は、幅４ｍｍ、深さ３ｍｍとなるようにした。
上記注出口部６の有効折径（シール部を除く幅）は、２１ｍｍである。そして、易開封処理部はＶ字型ノッチ９として前記凹状の切り欠き部７の上２．５ｍｍの位置に設けて構成した。
また、内容物充填後の前記開口部ヒートシール部５のシールに用いるヒートシールパターンは、左側端部のシール幅が３５ｍｍで、右側端部のシール幅が７ｍｍとなる傾斜を有する形状のシールパターンとした。
【００７０】
以上のように作製した試験例１の詰め替え用パウチに、上部の開口部から、内容物として液体洗髪剤５５０ｍｌを充填した後、開口部を脱気シールにより密封して包装体を作製した。（試料数２０個）
上記包装体は、３５℃で３か月間の保存後も自立性に支障はなく、外観も良好で内容物の漏れも認められなかった。
また、使用適性をテストするため、ノッチを利用して注出口を開口させ、口部の内径が２２ｍｍのプラスチック製ボトルに内容物の移し替えを行った結果、注出口の開口性、および凹状の切り欠き部７による注出口のボトル口部への固定性もよく、内容物を外にこぼすことなく、安定した流れで安全且つ容易に最後まで移し替えることができた。
【００７１】
〔試験例２〕
図３に示した構成の詰め替え用パウチを作製することとし、積層フィルムには、外側からＰＥＴフィルム（厚さ１２μｍ）、ＯＮフィルム（厚さ１５μｍ）、アルミニウム箔（厚さ７μｍ）、Ｌ・ＬＤＰＥフィルム（厚さ７０μｍ）の順にそれぞれをドライラミネート方式で貼り合わせた積層フィルムを用い、また、各部の寸法については、試験例１の詰め替え用パウチの各部の寸法の中、下記の部分のみを変更して試験例２の詰め替え用パウチを作製した。
【００７２】
図３に示した詰め替え用パウチ８０が、図１に示した詰め替え用パウチ６０と異なる点は、パウチ上部のコーナー部に延設された注出口部６のパウチ上部中央側に設けた凹状の切り欠き部７を、内容物を移し替える容器の口部に嵌合させた時、容器の肩部から胴部の形状に対応する形状の切り欠き部８が、更にパウチ上部の端縁部に設けられている点である。
従って、前記試験例１の詰め替え用パウチにそのまま上記切り欠き部８を設けた場合には、その分だけ充填容量が減少するため、これを補えるようパウチの本体部分を長くして作製したものである。
【００７３】
今、移し替えを行う容器として、口部の長さが１５ｍｍ、肩部の幅（片側の幅）が２０ｍｍ、そして、肩部の先端から略垂直な線で胴部が形成される形状のボトルを用いることとし、パウチの形状を、注出口部６、およびそのパウチ上部中央側に設けた凹状の切り欠き部７、そしてＶ字型ノッチ９は、前記試験例１の詰め替え用パウチと同一とし、パウチ本体部分の長さを試験例１のパウチよりも２０ｍｍ長くしておいて、パウチ上部の端縁部に設ける前記切り欠き部８を、凹状の切り欠き部７の窪みの底からパウチ中央側に１５ｍｍの位置を起点として、ここからやや斜め下方向に深さ２０ｍｍで、そこから左横方向にパウチの左側端部までを切り欠く形状に設けて試験例２の詰め替え用パウチを作製した。
尚、この詰め替え用パウチの開口部（上部ヒートシール部５）の幅は９７ｍｍであり、内容物充填後、この部分をヒートシールするヒートシールパターンの幅もこれに合わせて変更した。
【００７４】
以上のように作製した試験例２の詰め替え用パウチに、試験例１と同様に、上部開口部から、内容物として液体洗髪剤５５０ｍｌを充填した後、開口部を脱気シールにより密封して包装体を作製した。（試料数２０個）
上記包装体についても、３５℃で３か月間の保存テストを行ったが、自立性、外観とも良好で、内容物の漏れもなかった。
また、使用適性についても、ノッチによる開口性は良好で、口部の内径が２２ｍｍのプラスチック製ボトルへの移し替えも、注出口のパウチ上部中央側に設けた凹状の切り欠き部７をボトルの口部に嵌合させる際、パウチ上部がボトルの肩部や胴部に当たって邪魔されることもなく容易に嵌合でき、注出口のボトル口部への固定も一層確実に行われ、安定した流れで最後まで安全且つ容易に内容物を移し替えることができた。
【図面の簡単な説明】
【００７５】
【図１】本発明の詰め替え用パウチの第１の実施例の構成を説明する正面図である。
【図２】本発明の詰め替え用パウチの第２の実施例の構成を説明する正面図である。
【図３】本発明の詰め替え用パウチの第３の実施例の構成を説明する正面図である。
【図４】本発明の詰め替え用パウチの第４の実施例の構成を説明する正面図である。
【図５】本発明の詰め替え用パウチの第５の実施例の構成を説明する正面図である。
【図６】本発明の詰め替え用パウチの第６の実施例の構成を説明する正面図である。
【図７】本発明の詰め替え用パウチの第７の実施例の構成を説明する正面図である。
【図８】本発明の詰め替え用パウチの第８の実施例の構成を説明する正面図である。
【図９】本発明の詰め替え用パウチの第９の実施例の構成を説明する正面図である。
【図１０】本発明の詰め替え用パウチの第１０の実施例の構成を説明する正面図である。
【図１１】本発明の詰め替え用パウチの第１１の実施例の構成を説明する正面図である。
【図１２】本発明の詰め替え用パウチの第１２の実施例の構成を説明する正面図である。
【図１３】本発明の詰め替え用パウチの第１３の実施例の構成を説明する正面図である。
【図１４】本発明の詰め替え用パウチの第１４の実施例の構成を説明する正面図である。
【図１５】本発明の詰め替え用パウチの第１５の実施例の構成を説明する正面図である。
【図１６】図１または図２に示した詰め替え用パウチに充填された内容物を容器（ボトル）に移し替える際の状態を示す要部の説明図である。
【図１７】図３または図４に示した詰め替え用パウチに充填された内容物を容器（ボトル）に移し替える際の状態を示す要部の説明図である。
【符号の説明】
【００７６】
１  底部
２  底部ヒートシール部
３  胴部ヒートシール部
４  注出口部ヒートシール部
５  上部ヒートシール部
６  注出口部
７  凹状の切り欠き部
８、14  切り欠き部
９、９′ノッチ
10  ミシン目線
11  折り目線
12  摘み片
13  膨らみ部
40  注出口
50  容器（ボトル）
51  容器（ボトル）の口部
60、70、80、90、100 、110 、120 、130 、140 、150 、160 、170 、180 、190 、200   詰め替え用パウチ
【図１】
2005187081.tif 000003
【図２】
2005187081.tif 000004
【図３】
2005187081.tif 000005
【図４】
2005187081.tif 000006
【図５】
2005187081.tif 000007
【図６】
2005187081.tif 000008
【図７】
2005187081.tif 000009
【図８】
2005187081.tif 000010
【図９】
2005187081.tif 000011
【図１０】
2005187081.tif 000012
【図１１】
2005187081.tif 000013
【図１２】
2005187081.tif 000014
【図１３】
2005187081.tif 000015
【図１４】
2005187081.tif 000016
【図１５】
2005187081.tif 000017
【図１６】
2005187081.tif 000018
【図１７】
2005187081.tif 000019